(57)【特許請求の範囲】
【請求項１】
可動間仕切装置の壁面に設けた開口を開閉する位置に引き戸を取り付けるためのものであって、
壁面の内部空間に支持機構を設けるとともに、引き戸を可動間仕切装置の壁面から厚み方向へ変位した位置に配置し、この引き戸を前記支持機構に、壁面の開口を塞ぐ位置と、壁面に重合することによって開口を開成する位置との間で移動可能に取り付けるに際し、
壁面の一部に水平方向に延びる目地を形成し、その目地を介して引き戸を支持機構に取り付けていることを特徴とする引き戸の取付構造。
【請求項２】
目地を、壁面の内部空間に連通させ、その壁面の内部空間に支持機構を配置していることを特徴とする請求項１記載の引き戸の取付構造。
【請求項３】
壁面が、複数の壁面パネルを具備するものであり、目地を壁面パネル間の隣接隙間に形成していることを特徴とする請求項２記載の引き戸の取付構造。
【請求項４】
支持機構を、壁面パネルの一部をなす欄間パネルの内部空間に配置していることを特徴とする請求項３記載の引き戸の取付構造。
【請求項５】
欄間パネルを着脱可能に設け、該欄間パネルを取り外すことによって支持機構を外部に表出させ得るようにしていることを特徴とする請求項４記載の引き戸の取付構造。
【請求項６】
支持機構が、リニアガイドと、このリニアガイドに移動可能に支持されたブラケットとを具備するものであり、ブラケットの一部を壁面の外方に引き出し、その引き出し端側に引き戸を取り付けていることを特徴とする請求項１、２、３、４又は５記載の引き戸の取付構造。
【請求項７】
壁面の内部空間に、引き戸の開閉に必要な補助機構を配置していることを特徴とする請求項１、２、３、４、５又は６記載の引き戸の取付構造。
【発明の詳細な説明】
【０００１】
【発明の属する技術分野】
本発明は、可動間仕切装置において利用される引き戸の取付構造に関するものである。
【０００２】
【従来の技術】
可動間仕切装置には、壁面の一部に人の出入口を確保するために開口が設けられる場合がある。そして、このような開口を開閉する手段として、一般にドア及び引き戸が用いられる。このうち、人の動作を妨げず、居住空間の確保も必要な場合等には、動作代が少なくて済む引き戸が有利である。
【０００３】
しかして、従来の引き戸の取付構造は、欄間パネルの前面に支持機構を取り付けるとともに、引き戸を可動間仕切装置の壁面から厚み方向へ変位した位置に配置し、この支持機構に引き戸を、開口を塞ぐ位置と壁面に重合することによって開口を開成する位置との間で移動可能に取り付けるようにしているのが通例である。
【０００４】
【発明が解決しようとする課題】
しかしながら、このような取付構造によると、支持機構をパネル表面に面付けすることになるため、引き戸の可動範囲に亘って上方に機構部分を大きく突出して存在させざるを得ない。このため、後付け的な感じが強く、可動間仕切装置の意匠的外観を損ねる結果を招いている。
【０００５】
【課題を解決するための手段】
本発明は、このような不都合を解消するために、次のような手段を講じたものである。
【０００６】
すなわち、本発明に係る引き戸の取付構造は、可動間仕切装置の壁面に設けた開口を開閉する位置に引き戸を取り付けるためのものであって、壁面の内部空間に支持機構を設けるとともに、引き戸を可動間仕切装置の壁面から厚み方向へ変位した位置に配置し、この引き戸を前記支持機構に、壁面の開口を塞ぐ位置と、壁面に重合することによって開口を開成する位置との間で移動可能に取り付けるに際し、壁面の一部に水平方向に延びる目地を形成し、その目地を介して引き戸を支持機構に取り付けていることを特徴とする。
【０００７】
このような取付構造であれば、支持機構が外部から視認し得ない状態に置かれ、同時に壁面の面一性も確保されるので、移動間仕切壁の意匠的外観を有効に向上させることが可能になる。
【０００８】
なお、支持機構を視認不能にし、壁面の面一性を確保するだけであれば、壁面の一部に戸袋を設けて引き戸を引き込むように構成することも考えられるが、このような構成と本発明とを比較した場合、本発明は、引き戸が壁面から変位して常に外部に位置するため意匠的な趣向が凝らし易い点、戸袋を設けたときのように壁面パネルが厚肉となることがない点、戸袋と周囲のパネルとの間で目地の不揃いが生じることがない点などで優れる。
【０００９】
支持機構と引き戸の間の連結を好適に処理するためには、壁面の一部に水平方向に延びる目地を形成し、その目地を介して引き戸を支持機構に取り付けていることが有効である。
【００１０】
特に、目地を、壁面の内部空間に連通させ、その壁面の内部空間に支持機構を配置していることが好ましい。
【００１１】
引き戸の丈が壁面全体の丈よりも小さい場合に、引き戸を有効に取り付け可能とするためには、壁面を、複数の壁面パネルを具備するものとし、目地を壁面パネル間の隣接隙間に形成しておくことが望ましい。
【００１２】
この場合には、支持機構を、壁面パネルの一部をなす欄間パネルの内部空間に配置しておけばよい。
【００１３】
支持機構のメンテナンスの便を考慮した場合、欄間パネルを着脱可能に設け、該欄間パネルを取り外すことによって支持機構を外部に表出させ得るようにしていることが好ましい。
【００１４】
支持機構の具体的な実施の態様としては、リニアガイドと、このリニアガイドに移動可能に支持されたブラケットとを具備し、ブラケットの一部を壁面の外方に引き出し、その引き出し端側に引き戸を取り付けているものが挙げられる。
【００１５】
本発明は、壁面に現われない位置に、上記支持機構とともに引き戸の開閉に必要な補助機構を配置しておくことがより有効である。
【００１６】
【発明の実施の形態】
以下、本発明の一実施形態を、図面を参照して説明する。
【００１７】
この実施形態の取付構造が適用される引き戸１は、図１及び図２に示すように、可動間仕切装置によって形成される壁面Ｗに設けた出入口用の開口３を開閉する位置に配置されるものである。
【００１８】
壁面Ｗは、図１〜図３に示すように、複数の壁面パネルＰを具備してなるもので、壁面パネルＰは、その配置場所の違いで類別した場合、開口３よりも高い位置に配置される欄間パネル４と、この欄間パネル４よりも下方位置に上下３段に亘って配置される基本パネル５とからなる。これらのパネル４、５は、適宜構造を有するフレームＦ（図３参照）を両側からサンドイッチするように着脱可能に取り付けられており、フレームＦ以外の部分における前後のパネル４、４間、５、５間には内部空間４ｘ、５ｘが形成されている。
【００１９】
しかして、開口３が形成されるべき位置の上方には開口よりも幅広な欄間パネル４が配置され、その欄間パネル４の下縁４ｃ側に、一側縁５ａを欄間パネル４の一側縁４ａに合致させて基本パネル５が配置され、欄間パネル４の下縁４ｃの下方であって基本パネル５の他側縁５ｂの側方に両パネル４、５の幅寸法差にほぼ匹敵する開口幅ｄ１、基本パネル５の３枚分の丈にほぼ匹敵する丈ｄ２の開口３が形成されている。この開口３の他側縁側は、他の基本パネル５の一側縁５ａによって閉止されている。その際、少なくとも上下方向に隣接する基本パネル５の上縁５ｄと他の基本パネル５の下縁５ｃとの間、及び、基本パネル５の上縁５ｄと欄間パネル４の下縁４ｃとの間には、一定幅の目地７が形成されており、この目地７は、基本パネル５の内部空間５ｘ及び欄間パネル４の内部空間４ｘに連通している。
【００２０】
そして、本実施形態は、壁面Ｗに現われない位置に支持機構２を設けるとともに、引き戸１を可動間仕切装置の壁面Ｗから厚み方向へ変位した位置に配置し、この引き戸１を前記支持機構２に、壁面Ｗの開口３を塞ぐ図１の位置と、壁面Ｗに重合することによって開口３を開成する図２の位置との間で移動可能に取り付けている。
【００２１】
支持機構２は、図３及び図４に示すように、欄間パネル４の内部空間４ｘに配置されているもので、リニアガイド２１と、このリニアガイド２１に移動可能に支持されたブラケット２２とを具備している。リニアガイド２１は、水平方向に配置された断面ほぼＬ字形のガイドレール２１ａと、このガイドレール２１ａのレール面２１ａ１上に移動可能に配置された車輪２１ｂとを備えており、この車輪２１ｂの軸心位置に断面Ｌ形のブラケット２２の起立壁２２ａを支軸２３を介して取り付けている。そして、ブラケット２２の水平壁２２ｂを、欄間パネル４の下縁４ｃと基本パネル５の上縁５ｄとの間に形成された目地７を介して壁面Ｗよりも外方に引き出し、その引き出し端２２ｃ側に引き戸１の上端部１ａを取り付けている。なお、開口３においては、前記ブラケット２２の水平壁２２ｂは欄間パネル４の下縁４ｃに沿って密接に外方へ引き出される。欄間パネル４は、既述したようにフレームＦに対して着脱可能に取り付けられている。
【００２２】
引き戸１は、前記開口３と少なくともほぼ同一幅、同一丈を有するもので、開口３の前方に移動した図１の位置でこれを閉止し、基本パネル５に重合する位置に移動した図２の位置で前記開口３を開成させることができるものである。
【００２３】
なお、図３及び図４において、符号４１で示すものは支持機構２を保護する保護カバーであり、欄間パネル４を取り外した後、この保護カバー４１を取り外すことによってリニアガイド２１や車輪２２等の支持機構部品を外部に表出させ得るようにしている。また、符号４２で示すものは上記保護カバー４１を取り付けるためにフレームＦに設けられた取付金具である。
【００２４】
以上のようにして、本実施形態は、可動間仕切装置の壁面Ｗに設けた開口３を開閉する位置に引き戸１を取り付けるにあたり、壁面Ｗに現われない位置に支持機構２を設けるとともに、引き戸１を可動間仕切装置の壁面Ｗから厚み方向へ変位した位置に配置し、この引き戸１を前記支持機構２に、壁面Ｗの開口３を塞ぐ位置と、壁面Ｗに重合することによって開口３を開成する位置との間で移動可能に取り付けたものである。
【００２５】
このため、支持機構２を外部から視認し得ない状態で格納できると同時に、壁面Ｗの面一性も確保することができ、従来の取付構造に比べて移動間仕切壁の意匠的外観を有効に向上させることが可能になる。
【００２６】
また、壁面Ｗの一部に水平方向に延びる目地７を形成し、その目地７を介して引き戸１を支持機構２に取り付けているため、支持機構２と引き戸１の間の連結を目立たない目地７を通じて見栄え良く好適に処理することができる。
【００２７】
特に、目地７を、壁面Ｗを構成する欄間パネル４の内部空間４ｘに連通させ、その内部空間４ｘに支持機構２を配置しているため、欄間パネル４の下縁４ｃに沿って引き戸１を吊り下げ状態で移動可能に支持するのに極めて適した支持構造を得ることができる。
【００２８】
また、前記目地７は、欄間パネル４と基本パネル５の隣接隙間に形成されており、その目地７を介して支持機構２と引き戸１を連結しているため、引き戸１の丈が壁面Ｗ全体の丈よりも小さい図示例の場合であっても、引き戸１を壁面Ｗに重合する位置に的確に支持することができ、また開口３を閉止して壁面Ｗの前面が開放された際の壁面外観を良好な状態に保つことができる。
【００２９】
さらに、この実施形態は、欄間パネル４を着脱可能に設け、該欄間パネル４を取り外すことによって支持機構２を外部に表出させ得るようにしているため、例えば戸袋式のもの等に比べて支持機構２のメンテナンスの便を有効に向上させることができる。
【００３０】
加えて、支持機構２を、リニアガイド２１と、このリニアガイド２１に移動可能に支持されたブラケット２２とから構成し、ブラケット２２の一部を壁面Ｗの外方に引き出し、その引き出し端側に引き戸１を取り付けているため、該ブラケット２２の薄肉さを利用して、その水平壁２２ｂを目地７を通じて内部空間４ｘから壁面Ｗの外方へ有効に引き出すことができ、取付構造の簡素化を図ることが可能になる。
【００３１】
なお、各部の具体的な構成は、上述した実施形態のみに限定されるものではなく、本発明の趣旨を逸脱しない範囲で種々変形が可能である。例えば、上記実施形態では、支持機構を壁面に現われない欄間パネル内に収容した場合について説明したが、他に引き戸の開閉に必要なロック機構等の補助機構も欄間パネルや基本パネルの内部に有効に組み込んでおくことができる。また、上記実施形態では、欄間パネルと基本パネルとの間の目地を通じてブラケットを外方へ引き出したが、例えば支持機構等を基本パネルの内部空間に配置し、ブラケットを上下の基本パネル間の目地を通じて外方へ引き出すように構成することも可能である。
【００３２】
【発明の効果】
本発明は、以上説明したような形態で実施され、以下に記載される効果を奏する。
【００３３】
すなわち、本発明に係る引き戸の取付構造は、出入口となる可動間仕切装置の壁面開口に引き戸を取り付けるためのものであって、壁面の内部空間に支持機構を設けるとともに、引き戸をその壁面から厚み方向へ変位した位置に配置し、この引き戸を前記支持機構に、壁面の開口を塞ぐ位置と、壁面に重合することによって開口を開成する位置との間で移動可能に取り付けるに際し、壁面の一部に水平方向に延びる目地を形成し、その目地を介して引き戸を支持機構に取り付けるようにしたものである。
【００３４】
このため、支持機構を外部から隠蔽し、同時に壁面の面一性も確保して、移動間仕切壁の意匠的外観を有効に向上させることが可能となる。また、引き戸を戸袋等に収容しないため、引き戸の形状等を工夫して意匠を追求し易くなり、壁面パネルが不当に厚肉になることもなく、面付けタイプ等において生じ得る目地の乱れ等も有効に回避することができる。
【００３５】
壁面の一部に水平方向に延びる目地を形成し、その目地を介して引き戸を支持機構に取り付けるようにすれば、支持機構と引き戸を連結する連結部材等を目地に沿って好適に移動させることができ、且つ連結部材を引き出す上で壁面の外観が毀損されるといった不都合も有効に回避することができる。
【００３６】
特に、目地を、壁面の内部空間に連通させ、その壁面の内部空間に支持機構を配置すれば、支持機構の配置空間を有効に確保することができ、且つ引き戸までの連結部材等の引き出し量も必要最小限度に止どめて、強度確保を向上させる上でも有効となる。
【００３７】
壁面を、複数の壁面パネルを具備するものとし、目地を壁面パネル間の隣接隙間に形成しておけば、引き戸の丈が壁面全体の丈よりも小さい場合であっても、壁面の外観を損ねずに引き戸を確実に取り付けることができる。
【００３８】
この場合、支持機構を、壁面パネルの一部をなす欄間パネルの内部空間に配置しておけば、欄間パネルの下縁に沿って引き戸を移動可能に支持する支持構造を的確に実現することができる。
【００３９】
欄間パネルを着脱可能に設け、該欄間パネルを取り外すことによって支持機構を外部に表出させ得るように構成すれば、支持機構のメンテナンス時の作業の便を容易にして、メンテナンスの迅速、的確化を図ることができる。
【００４０】
支持機構を、リニアガイドと、このリニアガイドに移動可能に支持されたブラケットとから構成すれば、ブラケットの一部を目地等の微小隙間を利用して壁面の外方に有効に引き出すことができ、構造の簡素化も図ることができる。
【００４１】
本発明は、上記に準じて、引き戸の開閉に必要なロック機構、ラッチ機構、自動開閉機構などを壁面に現われない位置に隠蔽して配置しておく上でも有効となる。
【図面の簡単な説明】
【図１】本発明の一実施形態を適用した可動間仕切壁を引き戸の閉止状態で示す正面図。
【図２】同可動間仕切壁を引き戸の開成状態で示す正面図。
【図３】図２におけるＩＩＩ−ＩＩＩ線拡大断面図。
【図４】図３に対応した部分拡大斜視図。
【符号の説明】
１…引き戸
２…支持機構
３…開口
４…壁面パネル（欄間パネル）
４ｘ…内部空間
５…壁面パネル（基本パネル）
７…目地
２１…リニアガイド
２２…ブラケット
Ｗ…壁面
【図１】
0003703710.tif 000002
【図２】
0003703710.tif 000003
【図３】
0003703710.tif 000004
【図４】
0003703710.tif 000005